(57)【要約】【課題】プロジェクタに内蔵されたスピーカから音声が出力される場合にスピーカの音量をより適切に調整することが可能なプロジェクタ等を提供すること。【解決手段】プロジェクタ１００が、音声を出力するスピーカ１８０と、外部の通信機器から前記音声の音量の調整指示に関する音量判定情報を受信する受信部１１０と、前記音量判定情報に基づき、スピーカ１８０の音量を調整する必要があるかどうかを判定する判定部１２０と、スピーカ１８０の音量を調整する必要がある場合、スピーカ１８０の音量を調整する音量調整部１３０を含んで構成される。【選択図】図２
2010078750.tif 000002
【特許請求の範囲】
【請求項１】
音声を出力するスピーカと、
外部の通信機器から前記音声の音量の調整指示に関する音量判定情報を受信する受信部と、
前記音量判定情報に基づき、前記スピーカの音量を調整する必要があるかどうかを判定する判定部と、
前記スピーカの音量を調整する必要がある場合、前記スピーカの音量を調整する音量調整部と、
を含む、
プロジェクタ。
【請求項２】
マイクに入力されたマイク音声を入力するマイク音声入力部と、
当該マイク音声入力部に入力された前記マイク音声を増幅して増幅マイク音声を生成するマイク音声増幅部と、
音声を出力するスピーカと、
前記スピーカに供給する音声を増幅するスピーカ音声増幅部と、
外部の通信機器から前記音声の音量の調整指示に関する音量判定情報を受信する受信部と、
前記音量判定情報に基づき、前記スピーカの音量を調整する必要があるかどうかを判定する判定部と、
前記スピーカの音量を調整する必要がある場合、前記マイク音声増幅部および前記スピーカ音声増幅部の少なくとも一方の増幅度を調整する音量調整部と、
を含む、
プロジェクタ。
【請求項３】
請求項１、２のいずれかに記載のプロジェクタにおいて、
前記受信部は、前記聴衆の付近に配置される少なくとも１つの判定用マイクから当該判定用マイクに入力され、前記スピーカから出力された音声を示す判定用音声情報を受信し、
前記判定部は、前記判定用音声情報と、前記音量判定情報とに基づき、前記スピーカの音量を調整する必要があるかどうかを判定する、
プロジェクタ。
【請求項４】
請求項３に記載のプロジェクタにおいて、
前記受信部は、複数の前記通信機器からの音量判定情報を受信するとともに、複数の判定用マイクから前記判定用音声情報を受信し、
前記判定部は、前記判定用音声情報に基づく複数の判定結果と、前記音量判定情報に基づく複数の判定結果とに基づき、多数決で前記スピーカの音量を調整する必要があるかどうかを判定する、
プロジェクタ。
【請求項５】
音声を出力するスピーカと、受信部とを含むプロジェクタの有するコンピュータにより読み取り可能なプログラムであって、
前記コンピュータを、
外部の通信機器から前記音声の音量の調整指示に関する音量判定情報を前記受信部に受信させる受信制御部と、
前記音量判定情報に基づき、前記スピーカの音量を調整する必要があるかどうかを判定する判定部と、
前記スピーカの音量を調整する必要がある場合、前記スピーカの音量を調整する音量調整部として機能させる、
プログラム。
【請求項６】
マイクに入力されたマイク音声を入力するマイク音声入力部と、当該マイク音声入力部に入力された前記マイク音声を増幅して増幅マイク音声を生成するマイク音声増幅部と、音声を出力するスピーカと、前記スピーカに供給する音声を増幅するスピーカ音声増幅部と、受信部とを含むプロジェクタの有するコンピュータにより読み取り可能なプログラムであって、
前記コンピュータを、
外部の通信機器から前記音声の音量の調整指示に関する音量判定情報を前記受信部に受信させる受信制御部と、
前記音量判定情報に基づき、前記スピーカの音量を調整する必要があるかどうかを判定する判定部と、
前記スピーカの音量を調整する必要がある場合、前記マイク音声増幅部および前記スピーカ音声増幅部の少なくとも一方の増幅度を調整する音量調整部として機能させる、
プログラム。
【請求項７】
請求項５、６のいずれかに記載のプログラムを記憶した、
情報記憶媒体。
【発明の詳細な説明】
【技術分野】
【０００１】
本発明は、プロジェクタ、プログラムおよび情報記憶媒体に関する。
【背景技術】
【０００２】
イベントホール、体育館等でプロジェクタを用いたプレゼンテーションが行われる場合、室内の複数の場所にスピーカが配置され、当該スピーカから音声が出力される。また、近年、プロジェクタは小型化、軽量化してきており、スピーカが常設されていない場所でも利用される場合もある。このような場合であって、かつ、プロジェクタにスピーカが内蔵されている場合、ユーザは、当該スピーカを用いて音声を出力する。
【０００３】
スピーカが常設されていない場所が広い場所である場合や屋外である場合、聴衆はプロジェクタのスピーカから出力される音が聞こえない場合がある。このような場合、プレゼンテーション中に聴衆が「聞こえません。」といった発言を行って説明者がスピーカの音量を調整すると、プレゼンテーションを途中で中断することになり、プレゼンテーションの効果が低下してしまう。
【０００４】
このような問題を解決する手法として、特開平５−３７６５３号公報に記載されているように、スピーカから出力された音声をマイクで入力してスピーカの音量を調整する手法が考えられる。
【特許文献１】特開平５−３７６５３号公報
【発明の開示】
【発明が解決しようとする課題】
【０００５】
しかし、スピーカからの音声をマイクで入力してスピーカの音量を調整する手法は、比較的狭い場所で利用される手法であり、広い場所や屋外での複数の聴衆が存在するプレゼンテーションでの利用は想定されていない。例えば、聴力には個人差がある上、場所によって音の聞こえ方が異なる場合もあるため、上記手法でスピーカの音量を調整した場合であっても、聴衆にはスピーカからの音が適切に聞こえない場合もあり得る。
【０００６】
本発明の目的は、プロジェクタに内蔵されたスピーカから音声が出力される場合にスピーカの音量をより適切に調整することが可能なプロジェクタ、プログラムおよび情報記憶媒体を提供することにある。
【課題を解決するための手段】
【０００７】
上記課題を解決するため、本発明に係るプロジェクタは、音声を出力するスピーカと、外部の通信機器から前記音声の音量の調整指示に関する音量判定情報を受信する受信部と、前記音量判定情報に基づき、前記スピーカの音量を調整する必要があるかどうかを判定する判定部と、前記スピーカの音量を調整する必要がある場合、前記スピーカの音量を調整する音量調整部と、を含むことを特徴とする。
【０００８】
また、本発明に係るプログラムは、音声を出力するスピーカと、受信部とを含むプロジェクタの有するコンピュータにより読み取り可能なプログラムであって、前記コンピュータを、外部の通信機器から前記音声の音量の調整指示に関する音量判定情報を前記受信部に受信させる受信制御部と、前記音量判定情報に基づき、前記スピーカの音量を調整する必要があるかどうかを判定する判定部と、前記スピーカの音量を調整する必要がある場合、前記スピーカの音量を調整する音量調整部として機能させることを特徴とする。
【０００９】
また、本発明に係る情報記憶媒体は、上記プログラムを記憶したことを特徴とする。
【００１０】
本発明によれば、プロジェクタは、聴衆による音量調整指示に応じて内蔵スピーカの音量を調整することができるため、内蔵スピーカから音声を出力してプレゼンテーション等が行われる場合にスピーカの音量をより適切に調整することができる。
【００１１】
また、本発明に係るプロジェクタは、マイクに入力されたマイク音声を入力するマイク音声入力部と、当該マイク音声入力部に入力された前記マイク音声を増幅して増幅マイク音声を生成するマイク音声増幅部と、音声を出力するスピーカと、前記スピーカに供給する音声を増幅するスピーカ音声増幅部と、外部の通信機器から前記音声の音量の調整指示に関する音量判定情報を受信する受信部と、前記音量判定情報に基づき、前記スピーカの音量を調整する必要があるかどうかを判定する判定部と、前記スピーカの音量を調整する必要がある場合、前記マイク音声増幅部および前記スピーカ音声増幅部の少なくとも一方の増幅度を調整する音量調整部と、を含むことを特徴とする。
【００１２】
また、本発明に係るプログラムは、マイクに入力されたマイク音声を入力するマイク音声入力部と、当該マイク音声入力部に入力された前記マイク音声を増幅して増幅マイク音声を生成するマイク音声増幅部と、音声を出力するスピーカと、前記スピーカに供給する音声を増幅するスピーカ音声増幅部と、受信部とを含むプロジェクタの有するコンピュータにより読み取り可能なプログラムであって、前記コンピュータを、外部の通信機器から前記音声の音量の調整指示に関する音量判定情報を前記受信部に受信させる受信制御部と、前記音量判定情報に基づき、前記スピーカの音量を調整する必要があるかどうかを判定する判定部と、前記スピーカの音量を調整する必要がある場合、前記マイク音声増幅部および前記スピーカ音声増幅部の少なくとも一方の増幅度を調整する音量調整部として機能させることを特徴とする。
【００１３】
また、本発明に係る情報記憶媒体は、上記プログラムを記憶したことを特徴とする。
【００１４】
本発明によれば、プロジェクタは、聴衆による音量調整指示に応じてマイク音声の増幅度やスピーカ音声の増幅度を調整することができるため、内蔵スピーカから音声を出力してプレゼンテーション等が行われる場合にスピーカの音量をより適切に調整することができる。
【００１５】
また、前記受信部は、前記聴衆の付近に配置される少なくとも１つの判定用マイクから当該判定用マイクに入力され、前記スピーカから出力された音声を示す判定用音声情報を受信し、前記判定部は、前記判定用音声情報と、前記音量判定情報とに基づき、前記スピーカの音量を調整する必要があるかどうかを判定してもよい。
【００１６】
これによれば、プロジェクタは、聴衆による音量調整指示だけでなく、判定用マイクからの判定用音声情報も含めて判定を行うことにより、より適切にスピーカの音量を調整する必要があるかどうかを判定することができる。
【００１７】
また、前記受信部は、複数の前記通信機器からの音量判定情報を受信するとともに、複数の判定用マイクから前記判定用音声情報を受信し、前記判定部は、前記判定用音声情報に基づく複数の判定結果と、前記音量判定情報に基づく複数の判定結果とに基づき、多数決で前記スピーカの音量を調整する必要があるかどうかを判定してもよい。
【００１８】
これによれば、プロジェクタは、多数決でスピーカの音量を調整する必要があるかどうかを判定することにより、例えば、聴衆の誤操作や判定用マイクへのノイズ音入力の影響をなくし、より正確にスピーカの音量を調整する必要があるかどうかを判定することができる。
【発明を実施するための最良の形態】
【００１９】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２０】
（第１の実施例）
図１は、第１の実施例における投写状況を示す図である。大きな会議室５０にスクリーン１０とプロジェクタ１００が設置され、プロジェクタ１００がスクリーン１０に画像２０を投写する。説明者３０は、プロジェクタ１００に接続されたマイク４００を用いてプレゼンテーションを行う。プロジェクタ１００は、スピーカを内蔵しており、マイク４００に入力された音声をスピーカから出力する。
【００２１】
また、会議室５０には、複数の聴衆４０−１〜４０−９が存在し、各聴衆４０は、通信機器の一種であるリモコン２００−１〜２００−９を持っている。聴衆４０は、リモコン２００を用いてプロジェクタ１００の音量の調整指示を示す音量判定情報をプロジェクタ１００へ向け送信する。具体的には、例えば、聴衆４０は、スピーカ１８０からの音声が聞き取りづらい場合にはリモコン２００の上ボタンを押して音量を上げる指示を行い、スピーカ１８０からの音声が大き過ぎる場合にはリモコン２００の下ボタンを押して音量を下げる指示を行う。
【００２２】
また、会議室５０には、それぞれ離れた位置に複数の判定用マイク３００−１〜３００−３が配置されている。判定用マイク３００は、プロジェクタ１００から出力された音声を入力し、当該音声を示す判定用音声情報をプロジェクタ１００へ向け無線で送信する。
【００２３】
プロジェクタ１００は、リモコン２００からの音量判定情報と、判定用マイク３００からの判定用音声情報に基づき、必要に応じて内蔵スピーカの音量を調整する。次に、このような機能を有するプロジェクタ１００の機能ブロックについて説明する。図２は、第１の実施例におけるプロジェクタ１００の機能ブロック図である。
【００２４】
プロジェクタ１００は、リモコン２００からの音量判定情報、判定用マイク３００からの判定用音声情報等を受信する受信部１１０と、これらの情報に基づいて記憶部１２２内のデータを更新する更新部１１２と、音量判定データ１２４、判定用音声データ１２６等を記憶する記憶部１２２と、これらのデータに基づく判定を行う判定部１２０を含んで構成されている。
【００２５】
また、プロジェクタ１００は、マイク４００に入力されたマイク音声を入力するマイク音声入力部１４０と、マイク音声を増幅して増幅マイク音声を生成するマイク音声増幅部１５０と、増幅マイク音声等に基づく音声を生成する音声生成部１６０と、当該音声を増幅して増幅スピーカ音声を生成するスピーカ音声増幅部１７０と、増幅スピーカ音声を出力するスピーカ１８０と、マイク音声増幅部１５０およびスピーカ音声増幅部１７０における増幅度を調整する音量調整部１３０と、画像生成部１９０と、画像を投写する投写部１９２を含んで構成されている。
【００２６】
なお、これらの各部の機能をプロジェクタ１００に実装するためのハードウェアは、以下のものであってもよい。例えば、受信部１１０は無線通信ユニット等、更新部１１２、判定部１２０、音量調整部１３０はＣＰＵ等、記憶部１２２はＲＡＭ等、マイク音声入力部１４０はマイク音声入力端子等、マイク音声増幅部１５０、スピーカ音声増幅部１７０はアンプ等、音声生成部１６０は音声処理回路等、画像生成部１９０は画像処理回路等、投写部１９２はランプ、ランプ駆動回路、液晶パネル、液晶駆動回路、レンズ等であってもよい。
【００２７】
また、プロジェクタ１００は、これらの各部の機能を、情報記憶媒体４００からプログラムを読み取って実装してもよい。このような情報記憶媒体４００としては、例えば、ＣＤ−ＲＯＭ、ＤＶＤ−ＲＯＭ、ＲＯＭ、ＲＡＭ、ＨＤＤ等を適用できる。
【００２８】
次に、これらの各部を用いたプロジェクタ１００における音量調整手順について説明する。図３は、第１の実施例における音量調整手順を示すフローチャートである。例えば、ここでは、説明者３０は、プロジェクタ１００を用いて画像２０を投写しながら聴衆４０に向かってマイク４００で画像２０の説明を行うものとする。
【００２９】
まず、マイク音声入力部１４０は、マイク４００から説明者３０のマイク音声を入力する（ステップＳ１）。
【００３０】
マイク音声増幅部１５０は、当該マイク音声を増幅して増幅マイク音声を生成し、音声生成部１６０は、当該増幅マイク音声に基づく音声をスピーカ音声増幅部１７０に出力し、スピーカ音声増幅部１７０は、当該音声を増幅して増幅スピーカ音声を生成し、スピーカ１８０は、増幅スピーカ音声に基づく音声を出力する（ステップＳ２）。
【００３１】
聴衆４０は、スピーカ１８０から出力された音声が聞き取りづらい場合、リモコン２００の上ボタンを押して音量を上げる指示を示す音量判定情報をプロジェクタ１００に無線で送信する。受信部１１０は、リモコン２００から音量判定情報を受信する（ステップＳ３）。
【００３２】
判定用マイク３００−１〜３００−３は、判定用マイク３００が配置された付近の音声を入力し、当該音声を示す判定用音声情報を生成し、プロジェクタ１００へ向け無線で送信する。例えば、プロジェクタ１００が音声を出力している場合、当該音声が判定用マイク３００に入力される。受信部１１０は、判定用マイク３００から判定用音声情報を受信する（ステップＳ４）。
【００３３】
更新部１１２は、リモコン２００からの音量判定情報に基づき、音量判定データ１２４を更新し、判定用マイク３００からの判定用音声情報に基づき、判定用音声データ１２６を更新する。例えば、更新部１１２は、音量判定情報の受信時刻と判定内容を示すデータを音量判定データ１２４に追加し、判定用音声情報の受信時刻と音声情報を判定用音声データ１２６に追加する。
【００３４】
判定部１２０は、前回の判定を行ってから一定時間（例えば、３０秒、１分等）が経過したかどうかを判定し（ステップＳ５）、当該一定時間が経過した場合、音量判定データ１２４と、判定用音声データ１２６に基づき、音量調整の必要があるかどうかを判定する（ステップＳ６）。
【００３５】
例えば、判定部１２０は、リモコン２００−７〜２００−９からの音量判定情報が聞き取りづらいことを示すものであり、リモコン２００−７〜２００−９の付近にある判定用マイク３００−３からの判定用音声情報で示される音量が基準範囲内の場合は音量調整の必要があると判定して増幅度を１０％上げる決定を行う。また、例えば、判定部１２０は、リモコン２００−７〜２００−９からの音量判定情報が聞き取りづらいことを示すものであり、判定用マイク３００−３からの判定用音声情報で示される音量が基準範囲より小さい場合は音量調整の必要があると判定して増幅度を２０％上げる決定を行う。
【００３６】
また、例えば、判定部１２０は、判定結果の多数決でスピーカの音量を調整する必要があるかどうかを判定してもよい。例えば、判定部１２０は、リモコン２００−１〜２００−９からの音量判定情報のうち聞き取りづらいことを示すものが５つ以上であれば音量調整の必要があると判定し、リモコン２００−１〜２００−９からの音量判定情報のうち聞き取りづらいことを示すものが４つ以下であれば音量調整の必要がないと判定してもよい。
【００３７】
また、例えば、リモコン２００と判定用マイク３００が同数である場合、判定部１２０は、聞こえないことを示す音量判定情報の個数と、音量が基準範囲より小さいことを示す判定用音声情報の個数の合計値が全個数の合計値の半数以上である場合、音量調整の必要があると判定し、そうでない場合は音量調整の必要がないと判定してもよい。
【００３８】
音量調整の必要がある場合、音量調整部１３０は、スピーカ音声増幅部１７０における増幅度を決定し、スピーカ音声増幅部１７０は当該決定に応じて増幅度を調整する（ステップＳ７）。なお、増幅度の調整はマイク音声増幅部１５０が行ってもよいし、マイク音声増幅部１５０とスピーカ音声増幅部１７０の両方が行ってもよい。
【００３９】
プロジェクタ１００は、電源ＯＦＦ等によって一連の処理（ステップＳ１〜Ｓ７）を終了すべきかどうかを判定し（ステップＳ８）、終了すべき場合は終了し、終了すべきでない場合は続行する。
【００４０】
以上のように、本実施例によれば、プロジェクタ１００は、聴衆４０による音量調整指示に応じてマイク音声の増幅度やスピーカ音声の増幅度を調整することができるため、スピーカ１８０から音声を出力してプレゼンテーションが行われる場合にスピーカ１８０の音量をより適切に調整することができる。
【００４１】
また、本実施例によれば、プロジェクタ１００は、プレゼンテーションを中断することなく、聴衆４０による音量調整指示に応じてスピーカ１８０の音量を自動的に調整することができる。
【００４２】
また、本実施例によれば、プロジェクタ１００は、各聴衆４０による音量調整指示に応じてスピーカ１８０の音量を調整することができるため、聴力の個人差や場所による音の聞こえ方の違いにも対応することができる。
【００４３】
また、本実施例によれば、プロジェクタ１００は、聴衆４０による音量調整指示だけでなく、判定用マイク３００からの判定用音声情報も含めて判定を行うことにより、より適切にスピーカ１８０の音量を調整する必要があるかどうかを判定することができる。
【００４４】
また、本実施例によれば、プロジェクタ１００は、多数決でスピーカ１８０の音量を調整する必要があるかどうかを判定することにより、例えば、聴衆４０の誤操作や判定用マイク３００へのノイズ音入力の影響をなくし、より正確にスピーカ１８０の音量を調整する必要があるかどうかを判定することができる。
【００４５】
（第２の実施例）
第１の実施例では、プロジェクタ１００はマイク入力機能を有しているが、マイク入力機能は必須ではない。また、第１の実施例では、更新部１１２が音量判定データ１２４および判定用音声データ１２６を更新し、判定部１２０がこれらのデータに基づく判定を行っているが、判定部は受信部１１０で受信された情報を直接参照して判定を行ってもよい。また、第１の実施例では、判定部１２０が一定時間が経過した時点で音量調整の必要があるか判定しているが、判定部は逐次音量調整の必要があるか判定してもよい。さらに、プロジェクタ１００の使用場所は屋内には限定されず、屋外であってもよい。
【００４６】
図４は、第２の実施例における投写状況を示す図である。屋外の会場にスクリーン１０とプロジェクタ１０１が設置され、プロジェクタ１０１がスクリーン１０に画像２０を投写する。プロジェクタ１０１は、スピーカを内蔵しており、ＤＶＤプレーヤ等からの音声をスピーカから出力する。
【００４７】
また、当該会場には、複数の聴衆４０−１〜４０−４が存在し、各聴衆４０は、通信機器の一種である携帯電話２０１−１〜２０１−４を持っている。聴衆４０は、携帯電話２０１を用いてプロジェクタ１０１の音量の調整指示を示す音量判定情報をプロジェクタ１０１へ向け送信する。
【００４８】
プロジェクタ１０１は、携帯電話２０１からの音量判定情報に基づき、必要に応じて内蔵スピーカの音量を調整する。次に、このような機能を有するプロジェクタ１０１の機能ブロックについて説明する。図５は、第２の実施例におけるプロジェクタ１０１の機能ブロック図である。
【００４９】
プロジェクタ１０１は、第１の実施例のプロジェクタ１００と同様の構成であるが、マイク音声入力部１４０、マイク音声増幅部１５０、更新部１１２、記憶部１２２を有していない点でプロジェクタ１００と相違している。なお、プロジェクタ１０１も、プロジェクタ１００と同様に情報記憶媒体４０１に記憶されたプログラムを読み取って音量調整部１３０等の機能を実装してもよい。
【００５０】
次に、音量調整部１３０等を用いた音量調整手順について説明する。図６は、第２の実施例における音量調整手順を示すフローチャートである。音声生成部１６１は、ＤＶＤプレーヤ等からの音声情報に基づく音声を生成し、スピーカ音声増幅部１７０は、音声生成部１６１からの音声を増幅して増幅スピーカ音声を生成する（ステップＳ１１）。スピーカ１８０は、増幅スピーカ音声に基づく音声を出力する（ステップＳ１２）。
【００５１】
判定部１２１は、受信部１１１によって携帯電話２０１からの音量判定情報が受信されたかどうかを判定する（ステップＳ１３）。なお、本実施例では、聴衆４０は、スピーカ１８０からの音声が聞き取りづらいと判断した場合のみ携帯電話２０１を用いて音量判定情報をプロジェクタ１０１に送信するものとする。
【００５２】
判定部１２１は、音量判定情報が受信された場合、音量調整の必要があるかどうかを判定する（ステップＳ１４）。例えば、判定部１２１は、音量判定情報の受信回数をカウントし、受信回数が２回以上、すなわち、総人数（ここでは４人）の半数以上になった場合、音量調整の必要があると判定してもよい。
【００５３】
音量を調整する必要がある場合、音量調整部１３０は、スピーカ音声増幅部１７０における増幅度を決定し、スピーカ音声増幅部１７０は、当該決定に応じて増幅度を調整する（ステップＳ１５）。
【００５４】
なお、増幅度の調整は一度に調整するものであってもよいし、徐々に調整するものであってもよい。例えば、増幅度の目標値が２０％の場合、増幅度が一度に２０％に調整されてもよいし、１分経過ごとに増幅度が５％ずつ調整されてもよい。また、プロジェクタ１０１の電源がＯＦＦになった場合、５分以上音声入力がない場合等には増幅度が初期値に設定されてもよい。
【００５５】
プロジェクタ１０１は、電源ＯＦＦ等によって一連の処理（ステップＳ１１〜Ｓ１５）を終了すべきかどうかを判定し（ステップＳ１６）、終了すべき場合は終了し、終了すべきでない場合は続行する。
【００５６】
以上のように、本実施例によれば、プロジェクタ１０１は、聴衆４０による音量判定に応じてスピーカ１８０の音量を調整することができるため、ＤＶＤプレーヤ等からの音声がスピーカ１８０から出力される場合にスピーカ１８０の音量をより適切に調整することができる。
【００５７】
また、本実施例によれば、プロジェクタ１００は、第１の実施例と同様の作用効果を奏する上、屋外で使用される場合であっても、聴衆４０にとって聞き取りやすい音声を出力することができる。
【００５８】
（その他の実施例）
なお、本発明の適用は上述した実施例に限定されず、種々の変形が可能である。例えば、音量調整部１３０は、上述した実施例では増幅度を調整したが、スピーカ１８０のボリューム値等を調整することによってスピーカ１８０の音量を調整してもよい。
【００５９】
また、通信機器は、リモコン２００、携帯電話２０１には限定されず、例えば、携帯型ＰＣ、ＰＤＡ等であってもよい。また、すべての聴衆４０が通信機器を有している必要はなく、例えば、グループの代表者のみが通信機器を用いて音量調整を行ってもよい。また、聴衆４０は１人であってもよく、通信機器も１台であってもよい。
【００６０】
また、通信機器や判定用マイク３００自体がプロジェクタ１００、１０１と通信する機能を有していない場合、通信機器や判定用マイク３００と有線接続された通信装置がプロジェクタ１００、１０１と通信（有線通信、無線通信）してもよい。
【００６１】
また、通信機器が送信する音量判定情報は、音量調整の程度を示す情報であってもよい。例えば、通信機器は、音量調整ボタンが連続して押される回数に応じて（例えば、５秒間に押される回数が多いほど調整指示量を大きくする等）音量調整の程度を示す情報を生成して音量判定情報として送信してもよい。
【００６２】
また、プロジェクタ１００、１０１は、液晶プロジェクタ（透過型、ＬＣＯＳ等の反射型）には限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００、１０１の機能を複数の装置（例えば、ＰＣとプロジェクタ等）に分散して実装してもよい。
【図面の簡単な説明】
【００６３】
【図１】第１の実施例における投写状況を示す図である。
【図２】第１の実施例におけるプロジェクタの機能ブロック図である。
【図３】第１の実施例における音量調整手順を示すフローチャートである。
【図４】第２の実施例における投写状況を示す図である。
【図５】第２の実施例におけるプロジェクタの機能ブロック図である。
【図６】第２の実施例における音量調整手順を示すフローチャートである。
【符号の説明】
【００６４】
１０  スクリーン、２０  画像、３０  説明者、４０  聴衆、５０  会議室、１００、１０１  プロジェクタ、１１０、１１１  受信部、１２０、１２１  判定部、１３０  音量調整部、１４０  マイク音声入力部、１５０  マイク音声増幅部、１６０、１６１  音声生成部、１７０  スピーカ音声増幅部、１８０  スピーカ、１９０  画像生成部、１９２  投写部、２００  リモコン（通信機器）、２０１  携帯電話（通信機器）、３００  判定用マイク、４００、４０１  情報記憶媒体
【図１】
2010078750.tif 000003
【図２】
2010078750.tif 000004
【図３】
2010078750.tif 000005
【図４】
2010078750.tif 000006
【図５】
2010078750.tif 000007
【図６】
2010078750.tif 000008